(57)【要約】【課題】蛍光材料の塗布領域を広げることで蛍光体層の領域を拡大し、もって輝度および発光効率の向上したプラズマディスプレイパネルを実現することを目的としている。【解決手段】前面基板２１と背面基板２２とを、間に放電空間が形成されるように隔壁８を挟んで対向配置するとともに、前記隔壁８により仕切られた放電空間が放電セル１１として動作するように、各放電セル１１には各々、赤色、緑色、青色に発光する蛍光体層９がそれぞれ形成されており、放電セル１１内において、繊維状フィラー１０が、蛍光体層９にその一部を埋没させ、また一部を蛍光体層９の表面から露出した状態で存在し、前記繊維状フィラー１０は、その長さが、蛍光体層９の最大厚みの１／２以上の長さであるプラズマディスプレイパネル２０である。【選択図】図１
2009199727.tif 000002
【特許請求の範囲】
【請求項１】
前面基板と背面基板とを、間に放電空間が形成されるように隔壁を挟んで対向配置するとともに、前記隔壁により仕切られた放電空間が放電セルとして動作するように、各放電セルには各々、赤色、緑色、青色に発光する蛍光体層がそれぞれ形成されており、放電セル内において、繊維状フィラーが、蛍光体層にその一部を埋没させ、また一部を蛍光体層の表面から露出した状態で存在し、前記繊維状フィラーは、その長さが、蛍光体層の最大厚みの１／２以上の長さであるプラズマディスプレイパネル。
【請求項２】
前記繊維状フィラーが、ガラス繊維、セラミック繊維、アラミド繊維の中から選ばれる少なくとも一つである請求項１記載のプラズマディスプレイパネル。
【発明の詳細な説明】
【技術分野】
【０００１】
本発明は、表示デバイス等に用いるプラズマディスプレイ（以下ＰＤＰと呼ぶ）に関するものである。
【背景技術】
【０００２】
高品位テレビジョン画像を大画面で表示するためのディスプレイ装置として、ＰＤＰを使用した装置が多方面で実用化されている。ＰＤＰは、基本的には、前面板と背面板で構成されている。
【０００３】
代表的なＰＤＰの前面板は、ガラス基板と、その一方の主面上に形成されたストライプ状の透明電極およびバス電極よりなる表示電極と、この表示電極を覆ってコンデンサとしての働きをする誘電体層と、この誘電体層上に形成されたＭｇＯからなる保護層とで構成されている。
【０００４】
一方、背面板は、ガラス基板と、その一方の主面上に形成されたストライプ状のアドレス電極と、このアドレス電極を覆う誘電体層とその上に形成された隔壁と、各隔壁間に形成された赤色、緑色および青色にそれぞれ発光する蛍光体層とで構成されている。
【０００５】
そして前面板と背面板とはその電極形成面側を対向させて放電空間が形成されるように気密封着され、形成された放電空間にはＮｅ−Ｘｅ等の放電ガスが封入され、隔壁によって仕切られた放電空間の、表示電極とアドレス電極とが交差する箇所が放電セルとして動作する。
【０００６】
そして、表示電極・アドレス電極に、所定の信号電圧を選択的に印加することによって放電させ、それによって発生した紫外線が各色の蛍光体層を励起して赤、緑、青の発光を行わせてカラー画像表示を実現している。
【０００７】
ここで、ＰＤＰの画像表示性能を向上するために、蛍光体材料の輝度および発光効率を上げる、という取り組みがなされている（特許文献１参照）。
【特許文献１】特開平１１−１９３３７９号公報
【発明の開示】
【発明が解決しようとする課題】
【０００８】
しかしながら、従来、蛍光体材料の輝度および発光効率を向上させたとしても、その塗布面が、背面板側の、放電セル内における隔壁壁面と誘電体層の表面とに限られており、更なるＰＤＰの画像表示性能の向上のためには、蛍光体層の形成領域を拡大することが必要であった。
【０００９】
本発明はこのような現状に鑑みてなされたものであり、蛍光材料の塗布領域を広げることで蛍光体層の領域を拡大し、もって輝度および発光効率の向上したＰＤＰを実現することを目的としている。
【課題を解決するための手段】
【００１０】
上記目的を実現するために本発明のプラズマディスプレイパネルは、前面基板と背面基板とを、間に放電空間が形成されるように隔壁を挟んで対向配置するとともに、前記隔壁により仕切られた放電空間が放電セルとして動作するように、各放電セルには各々、赤色、緑色、青色に発光する蛍光体層がそれぞれ形成されており、放電セル内において、繊維状フィラーが、蛍光体層にその一部を埋没させ、また一部を蛍光体層の表面から露出した状態で存在し、前記繊維状フィラーは、その長さが、蛍光体層の最大厚みの１／２以上の長さである、としたものである。
【発明の効果】
【００１１】
本発明によれば、蛍光材料の塗布領域を広げることができ、その結果、蛍光体層の領域が拡大するので、もって輝度および発光効率の向上したＰＤＰを実現することができる。
【発明を実施するための最良の形態】
【００１２】
以下、本発明の一実施の形態によるＰＤＰについて説明する。
【００１３】
図１は、本発明の一実施の形態における交流面放電型ＰＤＰの一部概略構成を示す断面図である。図１では放電セル１つだけを示しているが、実際には赤、緑、青の各色に発光する放電セルが多数、マトリックス状に配列されている。
【００１４】
このＰＤＰ２０は、前面板ガラス基板１上に表示電極２と前面板誘電体層３、保護層４、が配された前面パネル２１と、背面板ガラス基板５上にアドレス電極６、誘電体層７、隔壁８、蛍光体層９、繊維状フィラー１０、が配された背面パネル２２とを張り合わせ、前面パネル２１と背面パネル２２との間に形成される放電空間内に放電ガスが封入された構成となっている。
【００１５】
繊維状フィラー１０は、繊維状の無機物または有機物であり、蛍光体層９を構成する蛍光体材料と同じ蛍光体材料が表面に付着した構造を有し、放電セル１１内において、蛍光体層９にその一部を埋没させ、また一部を蛍光体層９の表面から露出した状態で存在している。
【００１６】
かかる構成によれば、繊維状フィラー１０はその表面に蛍光体材料を付着させた状態であることから蛍光体層９と同様、発光機能を奏する。
【００１７】
すなわち、繊維状フィラー１０の存在により、蛍光材料の塗布領域を広げることができ、その結果、蛍光体層の領域が拡大するので、もって輝度および発光効率の向上したＰＤＰを実現することができる。
【００１８】
ここで蛍光体層９の厚みに対して、繊維状フィラー１０の繊維長が著しく短い場合は、蛍光体層９内に繊維状フィラーが埋没してしまい、蛍光体層９の表面から露出する繊維状フィラー１０が少なくなってしまうため、本発明の効果が小さくなってしまう。
【００１９】
ここで本発明者が行った検討によれば、繊維状フィラー１０が蛍光体層９の最大厚みに対して１／２以上の繊維長、好ましくは同等以上の繊維長であれば、輝度向上の効果が大きいことを確認している。
【００２０】
これは、繊維状フィラー１０の露出面積が表面積の増加となると考えられること、および、実際の、蛍光体層９に埋没する部分の深さから、このような関係となったものと考えられる。なお、繊維長の上限は、放電セル１１空間における最大直線距離を超えない繊維長であることが幾何学的な制約上、好ましい。
【００２１】
またＰＤＰは、その製造工程において、乾燥工程、焼成工程を数回行うことから、繊維状フィラー１０を構成する繊維状の無機物または有機物は少なくとも３００℃以上の温度においても繊維状の形状を保ち続ける特性が求められる。そこでこのような特性を満たす無機物としてはガラス繊維およびセラミック繊維を挙げることができ、有機物としてはアラミド繊維を挙げることができる。
【００２２】
また上述したような構成を実現するための製造方法の一例として以下のような製造方法を挙げることができる。
【００２３】
すなわち、放電セル１１内に繊維状フィラー１０が挿入された状態とし、その後、この放電セル１１内にペースト化した蛍光体材料を充填し、乾燥させるという方法である。このペースト化した蛍光体材料が乾燥する過程で、ペーストの溶剤分が蒸発することによる収縮が発生し、その結果、充填された蛍光体材料は蛍光体層９となり、同時に、その表面から繊維状フィラー１０が露出した状態で存在するように、すなわち、放電セル１１内において、蛍光体層９にその一部を埋没させ、また一部を蛍光体層９の表面から露出した状態で繊維状フィラー１０が存在した状態となる。
【００２４】
ここで、放電セル１１内に繊維状フィラー１０が挿入された状態とする方法としては、隔壁８形成後に繊維状フィラー１０を隔壁８間の放電セル１１空間に挿入するという方法や、隔壁８を形成する際、ガラス微粉末からなる無機粉末と感光性を有する有機成分からなる感光性ペーストに繊維状フィラーを混入して隔壁形成用ペーストを作製し、このペーストを用いてコーターまたはスクリーン印刷を用いて誘電体層７上全面に塗布し、乾燥を行った後、フォトリソ法により隔壁８を形成するという方法が挙げられる。後者の場合、フォトリソ法により、隔壁８間のペースト材料は除去されるが、そこに存在する繊維状フィラー１０は除去されずに残存するので、結果、隔壁８間の放電セル１１空間に繊維状フィラー１０が露出して存在した状態となる。
【００２５】
また別の方法として、蛍光体材料をペースト化する際、繊維状フィラー１０を混入してベースト化し、その状態で蛍光体層９を形成することによっても、同様に、放電セル１１内において、蛍光体層９にその一部を埋没させ、また一部を蛍光体層９の表面から露出した状態で繊維状フィラー１０が存在した状態とすることができる。
【産業上の利用可能性】
【００２６】
以上のように本発明は、良好な画像表示を行うプラズマディスプレイパネルを提供する上で有用な発明である。
【図面の簡単な説明】
【００２７】
【図１】本発明の一実施の形態によるプラズマディスプレイパネルの概略構成を示す一部断面斜視図
【符号の説明】
【００２８】
１  前面板ガラス基板
２  表示電極
３  前面板誘電体層
４  保護層
５  背面板ガラス基板
６  アドレス電極
７  誘電体層
８  隔壁
９  蛍光体層
１０  繊維状フィラー
１１  放電セル
２０  プラズマディスプレイパネル
２１  前面基板
２２  背面基板
【図１】
2009199727.tif 000003